(57)【要約】【課題】集塵ボックスのフィルターに蓄積された塵埃を除去する操作をし易くし、使用性を向上させる。【解決手段】集塵ボックス８を、吸入口２に挿入されるホース１０３と連通する為の連通穴９と、電動送風機１０７の吸引口に対向して設けられた開口部を有する本体部１０と、開口部を覆い吸引された空気の塵埃を除去するフィルター１３を備えた蓋体１４と、フィルター１３の下流面側で摺動することでフィルター１３に振動を与える振動発生部２５を有したレバー体２１とで構成し、集塵ボックス８の底部には、床面に置いた状態でフィルター１３の下流面側が略垂直となる保持部Ａ２６と、フィルター１３の下流面側が斜め上方を向く位置で集塵ボックス８を保持できる保持部Ｂを構成した。【選択図】図５
2008018133.tif 000002
【特許請求の範囲】
【請求項１】
本体前部に設けた吸入口と、前記吸入口の後部に位置し集塵ボックスを収納する集塵ボックス収納部と、前記集塵ボックス収納部の後部に配置された電動送風機を備えた電気掃除機において、前記集塵ボックスは、前記吸入口に挿入されるホースと連通する為の連通穴と、前記電動送風機の吸引口に対向して設けられた開口部を有する本体部と、前記開口部を覆い吸引された空気の塵埃を除去するフィルターを備えた蓋体と、前記フィルターの下流面側で摺動することで前記フィルターに振動を与える振動発生部を有したレバー体とを備え、前記集塵ボックスの底部には、床面に置いた状態で前記フィルターの下流面側が略垂直となる保持部Ａと、前記フィルターの下流面側が斜め上方を向く位置で集塵ボックスを保持できる保持部Ｂを構成した電気掃除機。
【請求項２】
フィルターの下流面側が床面に対して５°から３０°にて保持できるように保持部Ｂを構成した請求項１記載の電気掃除機。
【請求項３】
フィルターの上流側にメッシュもしくは多孔質に形成された薄板を構成したことを特徴とする請求項１または２記載の電気掃除機。
【請求項４】
メッシュもしくは多孔質に形成された薄板を保持する保持体と、フィルターを保持する蓋体を共に集塵ボックスの本体部に同軸上で回動自在に係止したことを特徴とする請求項３記載の電気掃除機。
【発明の詳細な説明】
【技術分野】
【０００１】
本発明は、電気掃除機に関し、特に電気掃除機の集塵ボックスに関するものである。
【背景技術】
【０００２】
従来の電気掃除機の集塵ボックスは、本体部と荒ごみを捕集する略平面のネットフィルターと、その下流に細塵を捕集するフィルターを形成したものであった（例えば、特許文献１参照）。
【特許文献１】特公昭６１−４９９６８号公報
【発明の開示】
【発明が解決しようとする課題】
【０００３】
しかしながら、前記従来の構成は、プリーツ状のフィルターの谷部分に塵埃が蓄積されたものを、レバー体にてフィルターに振動を与えて塵埃を除去するもので、塵埃を除去するレバー体はフィルターの下流面に保持されており、レバー体を摺動させる際には集塵ボックスを床面に置いて集塵ボックスを押さえた状態で、レバー体を動作させる必要があるが、集塵ボックスの底面がフィルター面に対して直角な面で構成されているために、集塵ボックスを床面に置くとフィルターの下流面側が床面に対して、垂直の状態となりレバー体を操作し難いものであった。また、使用者がフィルターの下流面側が斜め上方を向くように集塵ボックスを傾けて操作しようとしても、集塵ボックスが不安定でレバー体の操作がし辛い。あるいは、集塵ボックス内に塵埃が蓄積された状態で斜めに向けられた場合に集塵ボックスの連通穴が斜め下を向き過ぎて塵埃が集塵ボックスの外に出てしまうといった課題があった。
【０００４】
本発明は上記課題を解決するもので、フィルターに蓄積された塵埃を除去するための、レバー体の操作性を向上し、使い勝手を向上した電気掃除機を提供することを目的とする。
【課題を解決するための手段】
【０００５】
上記従来の課題を解決するために、本発明の電気掃除機は、本体前部に設けた吸入口と、前記吸入口の後部に位置し集塵ボックスを収納する集塵ボックス収納部と、前記集塵ボックス収納部の後部に配置された電動送風機を備えた電気掃除機において、前記集塵ボックスは、前記吸入口に挿入されるホースと連通する為の連通穴と、前記電動送風機の吸引口に対向して設けられた開口部を有する本体部と、前記開口部を覆い吸引された空気の塵埃を除去するフィルターを備えた蓋体と、前記フィルターの下流面側で摺動することで前記フィルターに振動を与える振動発生部を有したレバー体とを備え、前記集塵ボックスの底部には、床面に置いた状態で前記フィルターの下流面側が略垂直となる保持部Ａと、前記フィルターの下流面側が斜め上方を向く位置で集塵ボックスを保持できる保持部Ｂを構成したことを特徴とするものである。
【０００６】
これにより普通に床面に集塵ボックスを置いた際には保持部Ａによりフィルターの下流面側は略垂直になるので、集塵ボックスが傾かないために連通穴より本体内に蓄積された塵埃がこぼれることがない。かつ、プリーツ状のフィルターに蓄積された塵埃をレバー体の振動により除去するためにレバー体を摺動する際には、集塵ボックスに設けた保持部Ｂにより、フィルターの下流面側が上方を向くように固定できるためレバー体の操作を容易に行えるものである。このように操作をする際には集塵ボックスを傾けて固定できるものである。
【発明の効果】
【０００７】
本発明によれば、フィルターに蓄積された塵埃をレバー体の振動にて除去する操作が容易に行える集塵ボックスを有した電気掃除機を提供できる。
【発明を実施するための最良の形態】
【０００８】
第１の発明は、本体前部に設けた吸入口と、前記吸入口の後部に位置し集塵ボックスを収納する集塵ボックス収納部と、前記集塵ボックス収納部の後部に配置された電動送風機を備えた電気掃除機において、前記集塵ボックスは、前記吸入口に挿入されるホースと連通する為の連通穴と前記電動送風機の吸引口に対向して設けられた開口部を有する本体部と、前記開口部を覆い吸引された空気の塵埃を除去するフィルターを備えた蓋体と、前記フィルターの下流面側で摺動することでフィルターに振動を与える振動発生部を有したレバー体とを備え、前記集塵ボックスの底部には、床面に置いた状態で前記フィルターの下流面側が略垂直となる保持部Ａと、前記フィルターの下流面側が斜め上方を向く位置で集塵ボックスを保持できる保持部Ｂを構成したことにより、普通に床面に集塵ボックスを置いた際にはフィルターの下流面側は略垂直となり、集塵ボックスが傾かないために連通穴より本体内に蓄積された塵埃がこぼれることがない。かつ、プリーツ状のフィルターに蓄積された塵埃をレバー体の振動により除去するためにレバー体を摺動する際には、集塵ボックスに設けた保持部により、フィルターの下流面側が上方を向くように固定できるためレバー体の操作を容易に行えるものである。このように操作をする際には集塵ボックスを傾けて固定できるものである。
【０００９】
第２の発明は、フィルター下流面側が床面に対して５°から３０°にて保持できるように保持部Ｂを構成したものであり前記第１の発明と同様の効果が期待できる。
【００１０】
第３の発明は、フィルターの上流側にメッシュもしくは多孔質に形成された薄板を構成したことを特徴とするもので、第１または第２の発明と同様の効果が期待できる。
【００１１】
第４の発明は、メッシュもしくは多孔質に形成された薄板を保持する保持体と、フィルターを保持する蓋体を共に集塵ボックスの本体部に同軸上で回動自在に係止したことを特徴とするもので、集塵ボックスに溜まった塵埃を廃棄する際に、保持体と蓋体が同軸で回動するので干渉すること無しにスムーズに回動することができる。
【００１２】
以下、本発明の実施の形態について、図面を参照しながら説明する。なお、この実施の形態によって本発明が限定されるものではない。
【００１３】
（実施の形態１）
本発明の第１の実施の形態について、図１〜図５を用いて説明する。
【００１４】
図１に示すように、電気掃除機１０１は、掃除機本体１と、掃除機本体１の前方に設けた吸入口２に接続されるホース１０３と、ホース１０３の先端に設けられた接続パイプ１０４と、接続パイプ１０４に接続される延長管１０５と、延長管１０５の先端に設けられ塵埃を吸引する開口部（図示せず）を有する吸込具１０６からなり、掃除機本体１には、塵埃を吸引するための電動送風機１０７と塵埃を集塵する集塵ボックス８が内蔵されている。
【００１５】
図２は、掃除機本体１の要部断面図、図３は図２のＡ矢視図であり、図に示すように、掃除機本体１は前方に吸入口２を有する集塵ボックス収納部３と後方に電動送風機１０７を有する電動送風機室（図示しない）を具備し、吸入口２には掃除機本体１とホース１０３のエアータイト用のパッキンＡ４を具備している。また、集塵ボックス収納部３上方は開放状態となっており、開放部上端全周にパッキンＢ５を有している。６は掃除機本体にその後方部を支点として回動自在に設けた集塵ボックス収納部蓋体で、集塵ボックス収納部３の上方開口部を覆うものである。この集塵ボックス収納部蓋体６は、パッキンＢ５と平面が略同形状で集塵ボックス収納部蓋体６が閉状態となった時パッキンＢ５と圧接しエアータイトを行うタイトリブ７を有している。集塵ボックス収納部３内には、集塵ボックス８が収納されている。集塵ボックス８は前方に連通穴９が設けられ、後方が開口されている本体部１０と本体部１０の後方の開口部を覆うように、メッシュもしくは多孔質に形成された薄板１１を形成した保持体１２と、その下流にプリーツ加工されたフィルター１３を形成する蓋体１４が本体部１０に形成されている。
【００１６】
また、図３に示すように保持体１２の回動軸部１２ａと蓋体１４の回動軸部１４ａは本体部１０の軸部１５に同心軸にて係止されている。さらに、保持体１２、蓋体１４は蓋体１４の系止部１６に本体部１０の爪１７が引っ掛ることで本体部１０に固定され使用時の形態となる。このとき、保持体１２の外周前後に形成された、タイトパッキンＡ１８により、本体部１０と蓋体１４とがエアータイトされる構成となっている。集塵ボックス８と集塵ボックス収納部３とのエアータイトは前方をパッキンＡ４と本体部１０、後方を蓋体１４と蓋体集塵ボックス収納部３の壁に形成されたタイトパッキンＢ１９によりタイトされたものである。なお、タイトパッキンＡ１８と、タイトパッキンＢ１９、パッキンＡ４はタイト構成として使用される部品でありそれぞれのパッキンが当接するいずれかの部品に構成されてもタイト構成できる。
【００１７】
次に、本体部１０には、集塵ボックス８を床面に置いた際に、フィルター１３の下流側面が床面と略垂直となる保持部Ａ２６と、集塵ボックス８を床面に置いた際に、フィルター１３の下流側面が斜め上方を向くように角度を設けた保持部Ｂ２０が形成されている。
【００１８】
さらに、図４に示すように、プリーツ状に形成されたフィルター１３の下流面側には、蓋体１４と保持部材２２にて摺動可能に保持されたレバー体２１を備えており、レバー体２１には振動発生部２５を有している。
【００１９】
以上のように構成された電気掃除機について、以下その動作、作用を説明する。
【００２０】
図２に示すように、電動送風機１０７の吸引風により、塵埃は、吸入口２、連通穴９を通過し集塵ボックス８の本体部１０に到達する。その後、保持体１２に形成されたメッシュもしくは多孔質に形成された薄板１１により塵埃の粗ごみ２３が捕集される。メッシュもしくは多孔質に形成された薄板１１を細塵と空気は通過し、次に蓋体１４のプリーツ加工されたフィルター１３により細塵２４が捕集され、空気のみが電動送風機室を経て掃除機本体１外に排出される。次に図４に示すように、フィルター１３に蓄積された細塵２４はレバー体２１を摺動させることで、レバー体２１の振動発生部２５によりフィルター１３に振動を与えフィルター１３に蓄積され細塵２４を除去するものである。この動作を行う際、図５に示すように本体部１０に設けた保持部Ｂ２０によりフィルター１３の下流面側が斜め上方で５°から３０°の角度となるように集塵ボックスを床面に固定できるものである。
【００２１】
従って、集塵ボックス８が傾いた状態で床面に固定できるためレバー体２１も斜め上方を向き使い勝ってがよいものとなる。また、集塵ボックス８を傾けることで、本体部１０の連通穴９の開放部が斜め下方を向いてしまうが集塵ボックスを保持部Ｂ２０にて確実に固定できるために、必要以上に傾くことが無く、塵埃が外にこぼれることがないものである。
【産業上の利用可能性】
【００２２】
以上のように、本発明にかかる電気掃除機は、使用者がフィルターに蓄積された塵埃を除去する動作をし易く、使用性を向上し、特に家庭、業務用等の電気掃除機に有用である。
【図面の簡単な説明】
【００２３】
【図１】本発明の実施の形態１における電気掃除機の斜視図
【図２】本発明の実施の形態１における電気掃除機の要部断面図
【図３】図２における集塵ボックスのＡ矢視図
【図４】図２における集塵ボックスのＢ−Ｂ断面図
【図５】本発明の実施の形態１における集塵ボックスの要部断面図
【符号の説明】
【００２４】
３    集塵ボックス収納部
８    集塵ボックス
９    連通穴
１０  本体部
１２  保持体
１３  フィルター
１４  蓋体
２０  保持部Ｂ
２１  レバー体
２２  保持部材
２４  細塵
２５  振動発生部
２６  保持部Ａ
【図１】
2008018133.tif 000003
【図２】
2008018133.tif 000004
【図３】
2008018133.tif 000005
【図４】
2008018133.tif 000006
【図５】
2008018133.tif 000007